(57)【要約】【課題】  宝くじなどの当籤券に基づく当籤金の精算時（支払い時）において、当籤券の所有者の本人確認を行うとともに、当籤金を、利用者の選択に基づいて複数の振込先口座（現金払出を含む）に配分して払い出すことを可能とする。【解決手段】  遊技機による遊技に基づいて当籤が成立した場合、所定の当籤金をユーザに支払うための当籤金支払いシステムにおいて、遊技機において当籤が成立した場合、当籤者の本人認証情報と関連づけされた当籤券を作成、発行する当籤券発行装置と、当籤券に記憶された情報を読み取るとともに、当籤券の持参人の本人認証情報を取得し、この本人認証情報に基づいた当籤券の持参人の本人性の確認を条件として、配分指定入力に応じて当籤金を現金による払出及び振込先口座への振込に配分して当籤金の精算を行わせる当籤券精算装置とを有する。【選択図】    図１
2005215859.tif 000002
【特許請求の範囲】
【請求項１】
遊技機による遊技に基づいて当籤が成立した場合、所定の当籤金をユーザに支払うための当籤金支払いシステムにおいて、
このシステムは：
遊技機において当籤が成立した場合、当籤者の本人認証情報と関連づけされた当籤券を発行する当籤券発行装置と、
前記当籤券に記憶された情報を読み取るとともに、当籤券の持参人の本人認証情報を取得し、この本人認証情報に基づいた当籤券の持参人の本人性の確認を条件として、配分指定入力に応じて当籤金を現金による払出及び振込先口座への振込に配分して当籤金の精算を行わせる当籤券精算装置と
を有することを特徴とする当籤金支払システム。
【請求項２】
当籤通知の受信を契機に、当籤券の所有者の本人認証情報を取得する本人認証情報取得手段と、
本人認証情報取得手段により取得した本人認証情報と、当籤券識別情報とを関連づけて記憶させる当籤券発行手段と
を有することを特徴とする当籤券発行装置。
【請求項３】
当籤券の持参人による当籤金の配分指定入力を受け付けるための入力受付手段と、
当籤券の持参人の本人認証情報を取得する本人認証情報取得手段と、
当籤券に記憶された当籤券識別情報を読み取り、この情報に基づいて当籤券の所有者の本人認証情報を取得し、前記本人認証情報取得手段により取得した当籤券の持参人の本人認証情報と当籤券の所有者の本人認証情報とを用いた本人認証の結果に基づいて、前記入力受付手段に配分指定入力を受付させる当籤券精算制御手段と、
前記配分指定入力に応じて、振込先口座に当籤金の全部又は一部の振り込みを行わせる振込処理手段と、
を有することを特徴とする当籤券精算装置。
【請求項４】
請求項３に記載の当籤券精算装置において、当籤券精算装置は、前記配分指定入力に応じて現金の払い出しを行う現金払出手段を更に有していることを特徴とする当籤券精算装置。
【発明の詳細な説明】
【技術分野】
【０００１】
本発明は、当籤金支払システム、当籤券発行装置、及び当籤券精算装置に関し、より詳しくは、例えば宝くじ装置などにより当籤した当籤金の支払いを利用者の選択に基づいて指定された配分により、取引口座と現金払いに分けて支払いを行うことが可能な当籤金支払システム、当籤券発行装置、及び当籤券精算装置に関する。
【背景技術】
【０００２】
近年の、情報通信技術の発達、通信インフラの整備普及により、様々な情報を通信ネットワークを介して流通させることが可能となっている。宝くじのような当籤金の受け渡しについても、通信ネットワークを利用したシステムが提案されており、当籤者が特定銀行の窓口など当籤金払出機関にわざわざ出向くことなく当籤金の支払いを受けることが可能となりつつある。
【０００３】
このような宝くじの当籤金の支払い／受け取りの技術として、たとえばくじ券類又は商品券を換金して支払う場合の支払い方法に対応する複数の項目を表示装置に表示し、表示された複数の項目の中で利用者が任意に選択した支払い方法によって支払いを行う技術が開示されている（特許文献１）。
【特許文献１】特開２００２−１３３３３３公開公報（段落［００２７］、［００３２］、図４、図５）
【発明の開示】
【発明が解決しようとする課題】
【０００４】
しかし、上記のような当籤金の支払い／受け取りの技術では、宝くじなどの当籤券の正当な所持者と、当籤券の持参人が選択により指定した振込先口座の名義人が同一人物であるか否かが判断できず、当籤券の不正所有者、偽造者による払出請求に対応することが困難であった。
【０００５】
本発明の目的は、宝くじなどの当籤券に基づく当籤金の精算時（支払い時）において、当籤券の所有者の本人確認を行うとともに、当籤金を、利用者の選択に基づいて複数の振込先口座（現金払出を含む）に配分して払い出すことが可能な当籤金の支払い／受け取りのための方法、システムを提供することにある。
【課題を解決するための手段】
【０００６】
上記課題を解決するための手段として、本発明は以下のような特徴を有する。  
本発明の第１の態様は、遊技機による遊技に基づいて当籤が成立した場合、所定の当籤金をユーザに支払うための当籤金支払いシステムとして提案される。
【０００７】
このシステムは、遊技機において当籤が成立した場合、当籤者の本人認証情報と関連づけされた当籤券を発行する当籤券発行装置と、当籤券に記憶された情報を読み取るとともに、当籤券の持参人の本人認証情報を取得し、この本人認証情報に基づいた当籤券の持参人の本人性の確認を条件として、配分指定入力に応じて当籤金を現金による払出及び振込先口座への振込に配分して当籤金の精算を行わせる当籤券精算装置とを有することを特徴としている。
【０００８】
本発明の第２の態様は、当籤券発行装置として提案される。
【０００９】
この当籤券発行装置は、当籤通知の受信を契機に、当籤券の所有者の本人認証情報を取得する本人認証情報取得手段（本人情報取得部）と、本人認証情報取得手段により取得した本人認証情報と、当籤券識別情報（当籤券ＩＤ）とを関連づけて記憶させる当籤券発行制御手段（当籤券発行制御部）とを有することを特徴としている。
【００１０】
本発明の第３の態様は、当籤券精算装置として提案される。この当籤券精算装置は、当籤券の持参人による当籤金の配分指定入力を受け付けるための入力受付手段（ユーザインターフェイス部）と、当籤券の持参人の本人認証情報を取得する本人認証情報取得手段（本人情報取得部）と、当籤券に記憶された当籤券識別情報（当籤券ＩＤ）を読み取り、この情報に基づいて当籤券の所有者の本人認証情報を取得し、本人認証情報取得手段により取得した当籤券の持参人の本人認証情報と当籤券の所有者の本人認証情報とを用いた本人認証の結果に基づいて、入力受付手段に配分指定入力を受付させる当籤券精算制御手段（当籤券精算制御部）と、配分指定入力に応じて、振込先口座に当籤金の全部又は一部の振り込みを行わせる振込処理手段（当籤金振込処理部）とを有することを特徴としている。
【００１１】
当籤券精算装置において、当籤券精算装置は、配分指定入力に応じて現金の払い出しを行う現金払出手段（現金払出部）を更に有していてもよい。
【発明の効果】
【００１２】
当籤券の精算に際して、宝くじなどの当籤券に基づく当籤金の精算時（支払い時）において、当籤券の持参人の本人確認を行うとともに、利用者の選択に基づいて当籤金を複数の振込先口座（現金払出を含む）に配分して払い出すことを可能とする。
【発明を実施するための最良の形態】
【００１３】
以下、本発明の実施の形態にかかる当籤金支払システムおよびこの当籤金支払システムの動作として実現される当籤金支払い方法について、図面を参照しながら説明する。
【００１４】
［１．当籤金支払システムの構成例］
まず、図１を参照しながら当籤金支払システムの構成例について説明する。図１は、本発明の実施の形態にかかる当籤金支払システムの構成例を示すブロック図である。  
当籤金支払システム１０は、ユーザが当籤によって獲得した当籤金の支払いをうけるための当籤券１０５を発行し、この発行された当籤券の正当性を確認して当籤金の支払いをなし、当籤金の支払いに際して、利用者の指定に基づいて、利用者の指定した取引口座（振込先口座）への振込と、現金による払い戻しとについて当籤金を配分して払出をおこなう。
【００１５】
当籤金支払システム１０は、当籤の判定及び当籤金額を決定する遊技機１０１と、遊技機１０１に接続された当籤券管理装置１０２と、当籤券管理装置１０２に接続された当籤券発行装置１０３と、当籤券管理装置１０２に接続された当籤券精算装置１０４とを有している。なお、当籤券精算装置１０４は、当籤金支払システム１０とは別のシステムとなっている銀行系システム２０に接続されている。また、銀行系システム２０には、振込先口座に振り込まれた当籤金の払出を受けるためのＡＴＭ（automated teller machine）２０Ｔが接続されており、ユーザが配分された当籤金の全部又は一部に相当する現金を引き出せるようになっている。
【００１６】
以下、当籤金支払システム１０の各構成要素について説明する。  
［１．１．遊技機］  
遊技機１０１は、一定の条件でユーザに当籤金を獲得させる装置であって、例えばスロットマシン、ポーカーやブラックジャックなどのカードゲームマシン、宝くじ装置、ビンゴゲーム装置、パチンコ、パチスロなどである。  
図２に、遊技機１０１の構成例を示す。図示の構成例では、遊技機１０１は、ユーザの操作を受け付ける入力部２０１と、入力部からの信号に従って遊技等を実行し、当籤の成否及び当籤金額の決定を行う遊技制御部２０２と、遊技制御部２０２から当籤が成立を示す情報及び当籤金額を示す情報を受け取ると、当籤券管理装置１０２との接続を確立し、これら情報を当籤券管理装置１０２に送信する通信制御部２０３とを有している。なお、「当籤券」とは、当籤券精算装置１０４により読み取り可能な、金銭に交換可能な情報を記憶した記憶媒体、若しくはそのような記憶媒体を含む物をいうものとする。当籤券は、例えば、ＩＣカード、磁気カード、バーコードの附された紙葉類などである。また、説明の都合上「当籤券」と呼ぶが、必ずしも「券」としての形状を有している必要はなく、当籤券精算装置１０４により読み取り可能な物であればどのような形状・材質であってもかまわない。例えば、本明細書にいう当籤券として、ＩＣチップ内蔵のメダル型トークン、ＩＣタグ付きのストラップ、などを用いることも可能である。
【００１７】
［１．２．当籤券管理装置］  
当籤券管理装置１０２は、遊技機１０１から当籤成立を示す情報及び当籤金額を示す情報を受け取り、記憶する機能と、これら情報に基づいて当籤券発行装置１０３に当籤券１０５を発行させる機能を有する。また、当籤券管理装置１０２は、当籤券精算装置１０４から送信される本人認証情報に基づいて当籤券精算要求者の本人認証を行う機能を更に有している。ここで、「本人認証情報」とは、当籤券精算要求者と当籤券１０５の発行を受けた者の同一性を確認することが可能な情報であって、たとえば、いわゆるバイオメトリクス認証のための情報（声紋、指紋、目の網膜、虹彩、顔画像、静脈パターンなど）や、ＩＤ，パスワードなどである。
【００１８】
当籤券管理装置１０２は、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置であって、たとえばコンピュータ、ワークステーション、ＷＷＷ（World Wide Web）サーバ、或いはＷＷＷサーバ、データベースサーバ、アプリケーションサーバの結合によって構成される情報処理装置である。前記ＲＯＭ、もしくはハードディスク装置などに情報処理装置を当籤券管理装置１０２として機能させるためのプログラム、もしくは当籤券支払い方法の一部をコンピュータに実行させるためのプログラムが記憶されており、プログラムを主メモリ上に載せ、ＣＰＵがこれを実行することにより当籤券管理装置１０２が実現され、若しくは当籤券支払い方法の一部が実行される。また、上記プログラムはからなずしも情報処理装置内の記憶装置に記憶されていなくともよく、外部の装置（例えば、ＡＳＰ（アプリケーション・サービス・プロバイダのサーバなど））から提供され、これを主メモリに乗せる構成であっても良い。
【００１９】
図３は、当籤券情報管理装置１０２の構成例を示す機能ブロック図である。当籤券情報管理装置１０２は、遊技機１０１，当選券発行装置１０３，当籤券精算装置１０４と通信接続を行うための通信制御部３０１と、通信制御部３０１に接続された当籤券情報登録部３０２及び本人認証実行部３０３と、当籤券情報登録部３０２及び本人認証実行部３０３に接続されたデータベース管理部３０４と、データベース管理部３０４に接続された当籤券情報データベース部３０５及びユーザ情報データベース部３０６とを有している。
【００２０】
通信制御部３０１は、所定の通信プロトコル（プロトコルスタック）を実行することにより遊技機１０１等との接続を確立し、データの送受信を行う。当籤券情報登録部３０２は、遊技機１０１からの当籤成立及び当籤金額情報を受け取ると、これら情報に基づいて当籤券１０５についてのデータを当籤券情報データベース部３０５に記憶させる。本人認証実行部３０３は、当籤券精算装置１０４から送られてくる本人認証情報を、当籤券情報データベース部３０５或いはユーザ情報データベース部３０６に記憶されている、その当籤券１０５に対応付けられて記憶された本人認証情報と比較し、本人認証判定を行い、本人認証判定結果を当籤券精算装置１０４に通信制御部３０１を介して通知させる。データベース管理部３０４は、当籤券情報登録部３０２及び本人認証実行部３０３からの要求に応じて、当籤券情報データベース部３０５或いはユーザ情報データベース部３０６にデータの書き込み、データの読み出し等を行う。
【００２１】
当籤券情報データベース部３０５は、一の当籤券１０５について当籤券１０５を特定するための情報と当籤金を示す情報と、この当籤券１０５の所持者を示す情報とを関連づけて記憶する。図４（Ａ）は、当籤券情報データベース部３０５の記憶するレコードのデータ構成例を示す。当籤券情報データベース部３０５は、一の当籤券１０５ごとに、図４（Ａ）に示すレコード４００を記憶しており、各レコード４００は、当籤券１０５を特定するための情報である当籤券識別子４０１と、当籤金を示す情報である当籤金額情報４０２と、本人認証に用いられる本人認証情報４０３と、その当籤券１０５の所持者を特定するユーザ識別子４０４とを有している。本人認証情報４０３は、当選券発行装置１０３において、当籤券発行時に取得された本人認証情報である。
【００２２】
ユーザ情報データベース部３０６は、ユーザに関する情報を記憶する。図４（Ｂ）は、ユーザ情報データベース部３０６の記憶するレコードのデータ構成例を示す。ユーザ情報データベース部３０６は、一のユーザごとに、図４（Ｂ）に示すレコード４０５を記憶しており、レコード４０５のそれぞれは、ユーザを特定するための情報であるユーザ識別子４０６と、そのユーザが当籤金の振込先口座として予め指定している振込先口座情報（金融機関コード、支店コード、口座番号など）４０７と、そのユーザに対する連絡先情報（自宅／勤務先電話番号、電子メールアドレス、住所など）４０８とを有している。ユーザ情報データベース部３０６には、主にユーザ登録時に得られる情報が記憶される。ユーザ登録は、ユーザが本当籤金支払システム１０の利用希望を本当籤金支払システムの運営者／管理者に行う際などに行われる。
【００２３】
当籤券情報データベース部３０５とユーザ情報データベース部３０６とはユーザ識別子４０４，４０６をキーとして相互参照可能である。従って、当籤券情報データベース部３０５のユーザ識別子４０４をキーとしてユーザ情報データベース部３０６の記憶内容を検索し、そのユーザの指定振込先口座を抽出できる。なお、当籤券情報データベース部３０５とユーザ情報データベース部３０６とに必ずしも分けられていなくとも良く、一のデータベースで当籤券情報データベース部３０５とユーザ情報データベース部３０６の双方の記憶内容を扱う構成としても当籤券管理装置１０２は実現可能である。
【００２４】
また、本人認証情報４０３は、当籤券情報データベース部３０５ではなく、ユーザ情報データベース部３０６に記憶される様にしてもかまわない。レコード４００内のユーザ識別子４０４をキーとすれば、ユーザ情報データベース部３０６のレコード４０５から本人認証情報を抽出可能だからである。
【００２５】
［当籤券発行装置］
次に、当籤券発行装置１０３について説明する。当籤券発行装置１０３は、遊技機１０１において当籤が成立した場合、当籤券管理装置１０２と協働して、本人認証情報と関連づけされた当籤券１０５を作成、発行する機能を有する。
【００２６】
図５は、当籤券発行装置１０３の構成例を示す機能ブロック図である。図示の構成例において、当籤券発行装置１０３は、当籤券管理装置１０１に接続された通信制御部５０１と、通信制御部５０１に接続された当籤券発行制御部５０２と、当籤券発行制御部５０２に接続されたユーザインターフェイス部５０３，本人認証情報取得部５０４、及び当籤券発行部５０５とを有している。
【００２７】
通信制御部５０１は、所定の通信プロトコル（プロトコルスタック）を実行することにより当籤券管理装置１０２との接続を確立し、データの送受信を行う機能を有する。
【００２８】
当籤券発行制御部５０２は、通信制御部５０１、ユーザインターフェイス部５０３，本人認証情報取得部５０４、及び当籤券発行部５０５に動作タイミング、動作開始、動作終了など全体の制御を行い、当籤券管理装置１０２から送信された、当籤券を特定する情報である当籤券ＩＤ４０１を当籤券発行部５０５を制御することにより、当籤券１０５に書き込みさせる。
【００２９】
ユーザインターフェイス部５０３は、ユーザに当籤券発行に関するメッセージを伝達するとともに、ユーザの入力を受け付ける機能を有し、例えば液晶タッチパネル及びそのドライバであって、「当籤券を発行しますか？  ＹＥＳ／ＮＯ」「本人認証情報の登録を行います。右手人差し指をスキャナに当ててください。」「当籤券の発行が終了しました。」などのメッセージや実行ボタン、確認ボタン、キャンセルボタンなどを適宜表示する。
【００３０】
本人認証情報取得部５０４は、当籤券１０５の正当な所持者の本人認証情報を取得する機能を有する。例えば、声紋、指紋、目の網膜、虹彩、顔画像、静脈パターンなどを読み取り、読み取った画像データからパターンを抽出して本人認証情報を生成する。生成した本人認証情報は、通信制御部５０１を介して当籤券管理装置１０２に送信され、データ４００の一部として当籤券管理装置１０２に記憶させる。或いは、上記の本人認証情報は当籤券発行制御部５０２に渡され、当籤券発行時に当籤券１０５に書き込まれるようにしても良い。
【００３１】
当籤券発行部５０５は、発行前の状態にある当籤券１０５である記録媒体に当籤金の支払いに必要な情報の書き込みを行い、書き込みを終了した記憶媒体を当籤券１０５として出力する機能を有する。当籤券発行部５０５は、例えば磁気カードやＩＣカードのカードライタや、記憶媒体が携帯電話機であればこの携帯電話機とのデータに送信することができる通信機構（赤外線通信機構、Bluetoothなど）が当籤券発行部５０５として使用可能である。
【００３２】
図６（A）は、当籤券発行部５０５により、当籤券１０５である記憶媒体に書き込まれたデータの例を示す図である。記憶媒体には、当籤金の支払い（当籤券の精算）に必要な情報６００として、当籤券ＩＤ６０１が書き込まれる。図６（B）は、当籤券１０５である記憶媒体に書き込まれたデータの別の例を示す図である。記憶媒体（当籤券１０５）には、当籤金の支払い（当籤券の精算）に必要な情報６００’として、当籤券ID６０１，当籤金額情報６０２，本人認証情報６０３，振込先口座６０４が書き込まれている。図６（B）のような情報６００’を書き込ませる場合には、当籤券精算装置１０４は、当籤券管理装置１０２と通信を行うことなく、自立的に本人認証の判定、及び当籤金の払い出しを行うことが可能となる。
【００３３】
［当籤券精算装置］
当籤券精算装置１０４は、ユーザが当籤券１０５を提示するとともに、当籤金の支払いを要求した場合、当該当籤券１０５の真正性、及び当籤券持参人（保持者）の本人性の確認を条件として、当籤券持参人（当籤金支払請求者）の指定に応じて、現金支払い及び／又は指定された振込口座への振込を指定された配分で行わせる機能を有する。
【００３４】
図７は、当籤券精算装置１０４の構成例を示す機能ブロック図である。図示の構成例において、当籤券精算装置１０４は、当籤券管理装置１０１に接続された通信制御部７０１と、通信制御部７０１に接続された当籤券精算制御部７０２と、当籤券精算制御部７０２に接続されたユーザインターフェイス部７０３，本人認証情報取得部７０４、及び当籤券読取部７０５、及び当籤金振込処理部７０６、現金払出部７０７とを有している。なお、当籤金振込処理部７０６は、銀行系システム２０と通信可能に接続されている。
【００３５】
通信制御部７０１は、所定の通信プロトコル（プロトコルスタック）を実行することにより当籤券管理装置１０２との接続を確立し、データの送受信を行う機能を有する。
【００３６】
当籤券精算制御部７０２は、通信制御部７０１、ユーザインターフェイス部７０３，本人認証情報取得部７０４、及び当籤券発行部７０５、当籤金振込処理部７０６、現金払出部７０７に動作開始タイミングの指示、動作終了タイミングの指示など全体の制御を行い、本人認証情報取得部７０４により取得した本人認証情報と、当籤券管理装置１０２又は当籤券１０５に記憶されている本人認証情報６０３とを照合して本人判定を行い、本人判定が成功した場合、当籤券１０５に記憶されている諸情報（当籤金額情報４０２、振込先口座６０４など）を渡して当籤金振込処理部７０６に、指定された振込先口座に対する当籤金の振り込み処理を行わせるとともに、現金払出が指定されている場合には現金払出部７０７に指定された金額の現金を払い出す処理を行わせる。
【００３７】
ユーザインターフェイス部５０３は、ユーザに当籤券精算に関するメッセージを伝達するとともに、ユーザの入力を受け付ける機能を有し、例えば、ユーザインターフェイス部５０３は、液晶タッチパネル及びそのドライバであって、「当籤券を精算しますか？  ＹＥＳ／ＮＯ」「本人の確認を行います。右手人差し指をスキャナに当ててください。」「当籤券の精算が終了しました。当籤金△△円をご指定の○○銀行□□支店口座番号××××××に振り込み、残り□□円を現金にて払い出しました。」などのメッセージや実行ボタン、確認ボタン、キャンセルボタンなどを適宜生成・表示する。
【００３８】
また、ユーザインターフェイス部５０３は、ユーザが振込先口座を指定するための手段として、キャッシュカードや振込カードの読み取り装置を含んでいても良い。
【００３９】
本人認証情報取得部７０４は、当籤券１０５の精算要求をする者の本人認証情報を取得する機能を有する。この本人認証情報は、当選券発行装置１０３により取得された本人認証情報と同一種類である。取得した本人認証情報は、当籤券精算制御部７０２に渡され、本人判定処理に利用される。
【００４０】
当籤券読取部７０５は、当籤券１０５の精算要求をする者が提示した当籤券１０５に書き込まれたデータを読み取り、当籤券精算制御部７０２に渡す機能を有する。当籤券精算部５０５は、例えば磁気カードやＩＣカードのカードリーダや、記憶媒体が携帯電話機であればこの携帯電話機とのデータに送信することができる通信機構（赤外線通信機構、Bluetoothなど）が当籤券発行部５０５として使用可能である。
【００４１】
当籤金振込処理部７０６は、当籤券精算制御部７０２が本人判定に成功した場合、当籤券１０５に書き込まれた情報及びユーザインターフェイス部５０３により指定した情報に基づいて、当籤金の全部又は当籤金の内指定された金額を振込先口座に振り込むよう銀行系システム２０に要求する機能を有する。
【００４２】
現金払出部７０７は、当籤券精算制御部７０２が本人判定に成功した場合、当籤券１０５に書き込まれた情報及びユーザインターフェイス部５０３により指定した情報に基づいて、指定された金額を払い出す機能を有する。現金払出部７０７は、例えば現金払い出し機に相当する機構であって、運営者などにより紙幣／硬貨が定期的に補充されるようになっており、当籤券精算制御部７０２からの現金払出命令に従って、指定された現金相当の紙幣／硬貨をトレイなどに出すように動作する。
【００４３】
［当籤券精算装置の動作例］
次に、当籤券精算装置１０４の動作例について、図８を参照しながら説明する。図８は、当籤券精算装置１０４の動作例を示すフローチャートである。
【００４４】
ユーザが当籤券精算装置１０４のユーザインターフェイス部７０３に触れるなどして、当籤券１０５の精算処理を要求すると、当籤券精算装置１０４は、まず、当籤券１０５の読み取り処理を行う（ステップＳ８０１）。例えば、当籤券精算装置１０４は、ユーザに当籤券１０５を当籤券読取部７０４であるカードリーダに入れるようユーザに促し、ユーザが当籤券１０５をカードリーダ（当籤券読取部７０５）に挿入すると、カードリーダは当籤券１０５に書き込まれているデータを読み出し、当籤券精算制御部７０２に渡す。
【００４５】
次に、当籤券精算装置１０４は、ユーザに本人認証情報を要求し、本人認証情報取得部７０４により精算を要求した人物の本人認証情報をする（ステップＳ８０２）。例えば、当籤券精算装置１０４は、ユーザインターフェイス部７０３に、「本人認証を行います。右手人差し指をスキャナに当ててください。」とのメッセージを表示させ、ユーザに本人認証情報である指紋情報の提供を促す。本人認証情報取得部７０４は指紋情報を光学的に読み取り、この光学的に得た画像データから特徴パターンを生成して本人認証情報として当籤券精算制御部７０２に渡す。
【００４６】
次に、当籤券精算装置１０４は、ステップＳ８０１において当籤券１０５から読み取った情報（当籤券ＩＤ６０１）及びステップＳ８０２において取得した本人確認情報を当籤券管理装置１０２に送信して、本人認証判定の実行及びその当籤券に関する情報（例えば、当籤金額情報４０２，指定振込先口座４０７）の送信を要求する（ステップＳ８０３）。
【００４７】
当籤券管理装置１０２は、前記本人認証判定の実行及びその当籤券に関する情報の送信の要求に応じて、当籤券精算装置１０４から送られてきた本人認証情報と、当籤券管理装置１０２が記憶している本人認証情報４０３とを比較対照し、本人認証判定を行う。これら本人認証が一致する場合は、本人であることが認められるとして本人認証判定成功とする。一方、一致しない場合は本人であることが認められないとして本人認証判定失敗とする。
【００４８】
本人認証成功の場合は、当籤券管理装置１０２は当籤券精算装置１０４に本人認証成功メッセージと当籤券に関する情報を送信する。一方、本人認証失敗の場合は、当籤券管理装置１０２は当籤券精算装置１０４に本人認証失敗メッセージを送信する。
【００４９】
当籤券精算装置１０４は、当籤券管理装置１０２から送られてくる本人認証成功メッセージ／本人認証失敗セージに基づいて、当籤券持参人の本人性（当籤券の所有者・被発行者と当籤券持参人とが一致すること）を判定する（ステップＳ８０４）。本人性が認められない場合（ステップＳ８０４，Ｎｏ）は、当籤券精算装置１０４は、当籤券精算処理を中止して（ステップＳ８０５）、全処理を終了する。これにより、当籤券の不正取得、簒奪、当選者への成りすましなどによる当籤金の不正取得を阻止することが可能となる。
【００５０】
一方、本人性が認められる場合（ステップＳ８０４，Ｙｅｓ）は、当籤券精算装置１０４は、当籤金の内幾らを指定した振込先口座へ振り込み、幾らを現金として払い出すかという配分指定の入力をユーザから受け付ける（ステップＳ８０６）。
【００５１】
次に、当籤券精算装置１０４は、振込先口座へ振り込むよう指定された金額について振込処理するよう、銀行系システム２０に要求し（ステップＳ８０７）、一方現金として払い出すよう指定された金額を現金払出部７０７より排出する。
【００５２】
なお、配分指定は、直接金額を指定することに限定されるものではなく、「振込：７０％、現金３０％」のような百分率や「振込：現金＝７：３」のような比の値により指定するやり方でもかまわない。また、振込と現金の何れかを０とする配分指定も本実施の形態に含まれる。
【００５３】
また、本実施の形態では、振込先口座を一つとして説明しているが２以上の振込先口座を扱うことも本発明では可能である。
【００５４】
以上で、当籤券精算装置１０４の動作例の説明を終了する。
【００５５】
［当籤金支払システムの動作例について］
次に、本実施の形態にかかる当籤金支払システムの動作例について、図９から図１１を参照しながら説明する。図９は当籤金支払システムの動作例を示すシーケンス図、図１０は図９に続くシーケンス図、図１１は当籤券精算装置１０４のユーザインターフェイス部７０３である液晶ディスプレイに表示される画面例である。
【００５６】
まず、当籤券１０５の発行までの動作例について図９を参照しながら述べる。  
ユーザが遊技機１０１による遊技によってある当籤を引き当て、当籤金が発生したとする（ステップＳ９０１）。すると、遊技機１０１は、当籤券管理装置１０２に当籤が発生したこと、及びその当籤金額を通知する（ステップＳ９０２）。当籤券管理装置１０２は、この通知に応じて、当籤券ＩＤ４０１の発行、記録及び当籤金額情報４０２の記憶を行う。
【００５７】
続いて、当籤券管理装置１０２は、当籤券１０５の発行に必要な情報（例えば、当籤券ＩＤ４０１など）とともに、当籤券発行装置１０３に当籤券発行命令を送信する（ステップＳ９０３）。
【００５８】
当籤券発行装置１０３は、ユーザに本人認証情報の入力を促し、ユーザがこれに応じ所定の動作・操作を行うと、当籤券の所有者であるユーザの本人認証情報を取得する（ステップＳ９０４）。当籤券発行装置１０３は、取得した本人認証情報を当籤券管理装置１０２に送信する（ステップＳ９０５）。当籤券管理装置１０２は、受け取った本人認証情報を当籤券ＩＤ４０１と関連づけて記憶しておき（図４参照）、事後の当籤券精算装置１０４からの本人認証判定要求に備える。
【００５９】
次に、当籤券発行装置１０３は、ステップＳ９０３において受信した情報を当籤券１０５である記憶媒体に書き込み処理し、情報書き込み済みの記憶媒体を当籤券１０５として発行する（ステップＳ９０６）。発行済みの当籤券１０５はユーザが取得し、当籤券１０５の精算を行うまで保持していればよい。
【００６０】
当籤券発行（ステップＳ９０６）が完了すると、当籤券発行装置１０３は当籤券管理装置１０２に、当籤券１０５の発行が完了した旨を通知する（ステップＳ９０７）ようにしてもよい。当籤券管理装置１０２は、当籤券１０５の発行日時を記憶することにより、当籤券１０５の有効期間（例えば、発行後１ヶ月間生産可能とし、１ヶ月経過後は当籤券１０５を無効とする）を管理することが可能となる。
【００６１】
次に、当籤券の精算時の、本実施の形態にかかる当籤金支払いシステムの動作例について図１０，図１１を参照しながら説明する。
【００６２】
まず、当籤券１０５の持参人は、当籤金の支払い処理を求めて、当籤券精算装置１０４に当籤券１０５の読み取りを行わせる（ステップＳ１００１）。当籤券精算装置１０４は、当籤券の持参人が当籤券の発行を受けた者であることを確認するため、ユーザに本人認証情報の入力を促し、これに応じたユーザの本人認証情報を取得する（ステップＳ１００２）。図１１（Ａ）は、当籤券精算処理開始を待ち受ける、当籤券精算装置１０４のユーザインターフェイス部７０３（液晶ディスプレイ）に表示される画面例である。表示領域１１００には、メッセージと当籤券精算処理を開始させるためのボタン１１０１などが配置されている。ユーザインターフェイス部７０３はタッチパネルが組み込まれており、ユーザがボタン１１０１に触れると、画面は図１１（Ｂ）に遷移する。図１１（Ｂ）は、ユーザインターフェイス部７０３に表示される、本人認証情報の入力を促す画面の例である。ユーザが画面の指示に従い、本人認証情報の入力準備を終え、その後ボタン１１０２にタッチすると、本人認証情報の取得が実行される。
【００６３】
本人認証情報の取得が終了すると、当籤券精算装置１０４は、当籤券から読み取った情報、すなわち当籤券ＩＤ６０１と取得した本人認証情報とを当籤券管理装置１０２に送信するとともに、本人判定の要求及びその当籤券ＩＤ６０１に対応して記憶されている情報４００の送信を要求する（ステップＳ１００３）。
【００６４】
当籤券管理装置１０２は、ステップＳ１００３において送信された本人認証情報と、当籤券管理装置１０２が記憶する本人認証情報４０３とを比較し、本人判定を行う。本人判定の結果、本人であることが認証された場合は、当籤券管理措置１０２は、当籤券精算装置１０４に本人認証成功メッセージおよび記録済みの情報４００、４０５等を送信する（ステップＳ１００５）。
【００６５】
次に、当籤券精算装置１０４は、ユーザからの配分指定入力の受付を行う（ステップＳ１００６）。図１１（Ｃ）は、ユーザインターフェイス部７０３に表示される、配分指定入力の受付を行うための画面例である。この画面例では、表示領域１１０１中に、当籤金の総額を示す領域１１０３が設けられるとともに、配分指定入力である現金払出の額を指定する領域１１０４、口座振込の額を指定する領域１１０６が設けられている。領域１１０４、１１０６内に表示される金額は、ボックス１１０５，１１０７をポインティングデバイスなどにより操作して増減させることができる。また、領域１１０４、１１０６内の金額の和は、常に領域１１０３に示す総額となるように連動しており、一方を増加（減少）させると、他方が自動的に減少（増加）するように制御される。
【００６６】
また、「口座振込」は指定振込先口座４０７がリンクされており、ポインティングデバイスで、ポイント又はクリック等することにより、銀行名、支店名、口座番号などが領域１１０１内の任意の場所に表示され、ユーザが振込先を確認できるようになっている。
【００６７】
領域１１０４、１１０６内の金額をユーザの所望の額にしてボタン１１０８をクリック等することにより活性化すると、配分指定入力が完了し、当籤券精算装置１０４はこの配分指定入力に従って当籤金の支払いを行う。すなわち、当籤券精算装置１０４は、領域１１０６において指定された金額を振込先口座に振り込むよう、銀行系システム２０に振込処理要求を送信する（ステップＳ１００７）。銀行系システム２０は、この振込処理要求に応じて、当籤金に相当する額を振込先口座に振り込むよう処理を行う（ステップＳ１００８）。また、当籤券精算装置１０４は、その現金払出部７０７により領域１１０５において指定された金額を現金にて払い出す。
【００６８】
図１１（Ｄ）は、ステップＳ１００７，１００８終了後に、当籤券精算装置１０４のユーザインターフェイス部７０３に表示される画面例である。この画面例では、配分して移入力に従って払出を行った旨をユーザに知らせるメッセージが表示されている。
【００６９】
以上で、本当籤金支払いシステムによる当籤券の精算処理（当籤金の支払い処理）が完了する。  
なお、ステップＳ１００４における本人認証が失敗した場合は、当籤券管理装置１０２は、当籤券精算装置１０４に本人認証失敗メッセージを送信する。当籤券精算装置１０４は本人認証失敗メッセージを受信すると、当籤券１０５の精算処理を中止する。図１１（Ｅ）は、本人認証失敗メッセージを受信した場合に、当籤券精算装置１０４のユーザインターフェイス部７０３に表示される画面例である。
【００７０】
［変形例、その他］
（１）上記実施の形態では、当籤券の所持者（当籤券の発行を受けた者）の本人認証情報は当籤券管理装置１０２に記憶されていたが、本人認証情報を記憶管理する認証サーバを別途設けて、当籤券精算装置１０４は、この認証サーバにアクセスして当籤券の所持者（当籤券の発行を受けた者）の本人認証情報を取得するようにしても、本発明は成立する。
【００７１】
（２）上記実施の形態では、当籤券管理装置１０２を設けて当籤券１０５に関する情報を記憶・管理する構成としたが、当籤券１０５に関する情報はすべて当籤券１０５に記憶させ、当籤券管理装置１０２は設けない構成としても本発明は成立する。
【００７２】
（３）上記実施の形態では、振込先口座の開設要求を当籤券精算装置１０４から銀行系システム２０に送る構成としたが、当籤券管理装置１０２が振込先口座への振り込み要求を銀行系システム２０に送る構成としても本発明は成立する。
【００７３】
（４）上記実施の形態では、本人認証情報の判定を当籤券管理装置１０２が行う構成としたが、当籤券精算装置１０２にて本人認証情報の一致の判定を行うようにしても良い。
【図面の簡単な説明】
【００７４】
【図１】当籤金支払システムの構成例を示すブロック図
【図２】遊技機の構成例を示す機能ブロック図
【図３】当籤券情報管理装置の構成例を示す機能ブロック図
【図４】（Ａ）は、当籤券情報データベース部の記憶するレコードのデータ構成例を示す図、（Ｂ）は、ユーザ情報データベース部の記憶するレコードのデータ構成例を示す
【図５】当籤券発行装置の構成例を示す機能ブロック図
【図６】（Ａ）は当籤券である記憶媒体に書き込まれたデータの例を示す図、（Ｂ）は（Ａ）とは別の記憶媒体に書き込まれたデータの例を示す図
【図７】当籤券精算装置の構成例を示す機能ブロック図
【図８】当籤券精算装置の動作例を示すフローチャート
【図９】当籤金支払システムの動作例を示すシーケンス図
【図１０】図９に続くシーケンス図
【図１１】（Ａ）から（Ｅ）は、ユーザインタフェース部に表示される画面例を示す図
【符号の説明】
【００７５】
１０  …  当籤金支払システム
２０  …  銀行系システム
１０１  …  遊技機
１０２  …  当籤券管理装置
１０３  …  当籤券発行装置
１０４  …  当籤券精算装置
１０５  …  当籤券
５０２  …  当籤券発行制御部
５０４  …  本人認証情報取得部
５０５  …  当籤券発行部
７０２  …  当籤券精算制御部
７０４  …  本人認証情報取得部
７０５  …  当籤券読取部
７０６  …  当籤金振込処理部
７０７  …  現金払出部
【図１】
2005215859.tif 000003
【図２】
2005215859.tif 000004
【図３】
2005215859.tif 000005
【図４】
2005215859.tif 000006
【図５】
2005215859.tif 000007
【図６】
2005215859.tif 000008
【図７】
2005215859.tif 000009
【図８】
2005215859.tif 000010
【図９】
2005215859.tif 000011
【図１０】
2005215859.tif 000012
【図１１】
2005215859.tif 000013